(57)【要約】      （修正有）【課題】走行時の状況のみならず、発熱する停止中の車両の実情に近い状況を再現することができる車両試験装置を提供することである。【解決手段】車両８を収容する試験室２と、試験室２内の車両８に向けて空気流２９を供給する空気流供給手段と、車両８の設置位置を実質的に変化させない車両走行状態再現手段とを備えた車両試験装置１において、試験室２の天井側には、試験室２外に連通する昇温空気流排気通路７の開口が設けてあり、停止中又は微速走行中を想定した発熱する車両８によって暖められた空気が、昇温空気流排気通路７を介して試験室２外へ排出されるように、昇温空気流排気通路７の開口は、車両８によって加熱された空気が上昇して到達する位置に設けた。【選択図】図２
2007108038.tif 000002
【特許請求の範囲】
【請求項１】
車両を収容する試験室と、前記試験室内の車両に向けて空気流を供給する空気流供給手段と、前記車両の設置位置を実質的に変化させない車両走行状態再現手段とを備えた車両試験装置において、
前記試験室の天井側には、試験室外に連通する昇温空気流排気通路の開口が設けてあり、
停止中又は微速走行中を想定した発熱する車両によって暖められた空気が、前記昇温空気流排気通路を介して試験室外へ排出されるように、前記昇温空気流排気通路の開口は、前記車両によって加熱された空気が上昇して到達する位置に設けてあることを特徴とする車両試験装置。
【請求項２】
前記空気流供給手段は、車両の前方上方から車両の前方下部に向かって試験室内に空気を流入させ、前記流入させた空気が、前記車両によって加熱された空気と入れ替わることを特徴とする請求項１に記載の車両試験装置。
【請求項３】
前記空気流供給手段は、車両の前方から車両に向かって車速に応じた風速の空気流を試験室内に導く空気流供給路と、前記昇温空気流排気通路とは別に、前記空気流を試験室の外に導く空気流排出路とを備えていることを特徴とする請求項１又は２に記載の車両試験装置。
【請求項４】
試験室内に供給する空気の温度と湿度とを、想定する所定の試験環境に応じて調整する空調手段を備えたことを特徴とする請求項１〜３のうちのいずれかに記載の車両試験装置。
【請求項５】
前記空調手段によって調整された後に、前記空気流供給路から試験室内に供給された空気流が、車両の下部へ達するようにしたことを特徴とする請求項４に記載の車両試験装置。
【請求項６】
車両を収容する試験室と、試験室内の車両に車速に応じた風速の空気流を供給する空気流供給手段と、前記車両の設置位置を実質的に変化させない車両走行状態再現手段とを備えた車両試験装置において、
前記車両試験装置は、車両の走行モードと停止モードで稼働可能であり、
前記試験室には、前記走行モードで、車両の前方から車両に向かって、車速に応じた風速の空気流を供給する空気流供給路と、前記空気流を排出する空気流排出路とが接続されており、
前記試験室には、前記停止モードで、発熱する車両から熱伝達されて上昇する空気を排出する昇温空気流排気通路と、前記昇温空気流排気通路から排出される空気量と同程度の量の空気を供給する給気通路とが接続されており、
前記走行モードと停止モードとを切替える切替手段を備えたことを特徴とする車両試験装置。
【発明の詳細な説明】
【技術分野】
【０００１】
本発明は、車両の走行状況や停止状況を試験室内で模擬的に再現することができる車両試験装置に関するものである。
【背景技術】
【０００２】
車両に所定の風速の空気流を吹き付けて、走行及び停止する車両の状況を再現することができる試験装置が、例えば特許文献１〜３に開示されている。
【特許文献１】特開平１０−４８０９１号公報
【特許文献２】特開２０００−６５６９０号公報
【特許文献３】特開平１１−２３７３１７号公報
【発明の開示】
【発明が解決しようとする課題】
【０００３】
数十年前は、エアコンを搭載した車両は少数であったが、昨今の車両は、その大半がエアコンを搭載している。上記文献には、車両の実走状況を模擬的に再現するための様々な工夫がなされているが、昨今は、エアコンを作動させて、より実情に近い状況を再現する必要性が出てきた。
【０００４】
図７は、従来の車両試験装置５０の模式図である。車両試験装置５０は、車両５１を収容する試験室５２を備えている。試験室５２には、車両５１の前方から空気流を供給する空気流供給路５３と、車両５１を通過した空気流を排出する空気流排出路５４とを設けている。
特許文献１〜３に開示されている従来の車両試験装置は、図７に示す車両試験装置５０と同様の構成を備えている。
【０００５】
停止中の車両であっても、アイドリング状態であったり、搭載したエアコンが作動中であれば、車両は発熱している。そのため、車両の周囲の空気は、熱伝達されて昇温する。
図７の車両試験装置５０において、発熱する車両５１の、停止時の状況を再現するには、基本的に車速がゼロであるため、車両５１に空気流を吹き付ける必要はない。そのため、発熱する車両５１から熱伝達されて昇温した空気により、試験室５２内には矢印で示すような対流５５が生じる。
【０００６】
このまま放置すると、試験室５２内の室温が上昇してしまい、車両５１の周囲の環境が変化してしまう。そこで、試験室５２内の温度上昇を回避するために、空気流供給路５３から微風を供給すると、昇温した一部の空気を空気流排出路５４から排出することはできるが、依然として対流５５を解消することはできない。
【０００７】
完全に対流５５を解消しようとすると、車両５１に対して、空気流供給路５３から無視できない風速の空気流を供給しなければならず、車両５１が停止している車速ゼロ（風速ゼロ）状態を再現することができない。
【０００８】
特許文献２に開示されている「環境試験装置」は、停止時の車両の温度は低温になることを前提条件として構成されており、試験室内には対流が生じないものとして、供給した空気流が車両の上方を通過するように構成されている。しかし、車両５１が停止していても、アイドリング状態であったり、搭載したエアコンを作動させていると、車両５１のエンジンは、試験室５２内に対流を生じさせる程度の温度を呈している。
【０００９】
特許文献１と３に開示されている「環境試験用風洞」及び「密閉室」では、車両の走行時における状況（環境）は良好に再現することができるが、発熱する車両が停止している状態を再現することはできない。
【００１０】
また、特許文献１〜３には開示されていないが、一般に従来は、試験室の容積を大きくすることで試験室内の環境の均一化を図ろうとする傾向があった。そのため、車両試験装置を構築するためには、広い敷地が必要であった。
【００１１】
そこで本発明では、走行時の状況のみならず、発熱する停止中の車両の実情に近い状況を再現することができる車両試験装置を提供することを目的としている。
【課題を解決するための手段】
【００１２】
上記課題を解決するため、請求項１の発明では、車両を収容する試験室と、前記試験室内の車両に向けて空気流を供給する空気流供給手段と、前記車両の設置位置を実質的に変化させない車両走行状態再現手段とを備えた車両試験装置において、前記試験室の天井側には、試験室外に連通する昇温空気流排気通路の開口が設けてあり、停止中又は微速走行中を想定した発熱する車両によって暖められた空気が、前記昇温空気流排気通路を介して試験室外へ排出されるように、昇温空気流排気通路の開口は、前記車両によって加熱された空気が上昇して到達する位置に設けた。
【００１３】
請求項２の発明は、請求項１の発明において、空気流供給手段は、車両の前方上方から車両の前方下部に向かって試験室内に空気を流入させ、前記流入させた空気が、前記車両によって加熱された空気と入れ替わるようにした。
【００１４】
請求項３の発明は、請求項１又は２の発明において、空気流供給手段は、車両の前方から車両に向かって車速に応じた風速の空気流を試験室内に導く空気流供給路と、前記排気通路とは別に、前記空気流を試験室の外に導く空気流排出路とを備えた。
【００１５】
請求項４の発明は、請求項１〜３のうちのいずれかの発明において、試験室内に供給する空気の温度と湿度とを、想定する所定の試験環境に応じて調整する空調手段を備えた。
【００１６】
請求項５の発明は、請求項４の発明において、空調手段によって調整された後に、前記空気流供給路から試験室内に供給された空気流が、車両の下部へ達するようにした。
【００１７】
請求項６の発明では、車両を収容する試験室と、試験室内の車両に車速に応じた風速の空気流を供給する空気流供給手段と、前記車両の設置位置を実質的に変化させない車両走行状態再現手段とを備えた車両試験装置において、前記車両試験装置は、車両の走行モードと停止モードで稼働可能であり、前記試験室には、前記走行モードで、車両の前方から車両に向かって、車速に応じた風速の空気流を供給する空気流供給路と、前記空気流を排出する空気流排出路とが接続されており、前記試験室には、前記停止モードで、発熱する車両から熱伝達されて上昇する空気を排出する昇温空気流排気通路と、前記昇温空気流排気通路から排出される空気量と同程度の量の空気を供給する給気通路とが接続されており、前記走行モードと停止モードとを切替える切替手段を備えた。
【発明の効果】
【００１８】
請求項１の発明では、試験室の天井側には、排気通路の開口が設けてあるので、停止中又は微速走行中を想定した発熱する車両によって加熱されて昇温した空気は、上昇して排気通路の開口から排気通路に入り、排気通路を介して試験室外へ排出される。したがって試験室内の温度が、昇温した空気によって上昇してしまうことを回避することができる。
また、排気通路の開口を、車両によって加熱された空気が上昇して到達する位置に設けているので、加熱されて昇温した空気を排気通路の開口に到達し易くし、円滑に排気通路から昇温した空気を排出させることができる。
【００１９】
請求項２の発明では、空気流供給手段は、車両の前方上方から車両の前方下部に向かって試験室内に空気を流入させるようにしたので、流入させた空気が、車両によって加熱された空気と入れ替わる。そのため、試験室内は負圧にならず、昇温した空気の試験室外への排出を、より円滑に行うことができる。
【００２０】
請求項３の発明の車両試験装置は、空気流供給手段は、車両の前方から車両に向かって車速に応じた風速の空気流を試験室内に導く空気流供給路と、排気通路とは別に、空気流を試験室の外に導く空気流排出路とを備えているので、車両の停止状態から高速走行状態までを再現することができる。
【００２１】
請求項４の発明では、試験室内に供給する空気の温度と湿度とを、想定する所定の試験環境に応じて調整する空調手段を備えたので、試験室内の温度と湿度とを、良好に所定の範囲に保つことができる。
【００２２】
請求項５の発明では、空調手段によって調整された後に、空気流供給路から試験室内に供給された空気流が、車両の下部へ達するようにしたので、昇温して上昇する空気の流れは、全く阻害されることがなく、試験室内の温度、湿度、及び気圧が変動することを回避することができ、試験室内の環境の変動を阻止することができる。
【００２３】
請求項６の発明の車両試験装置は、車両の走行モードと停止モードで稼働可能であり、試験室には、走行モードで、車両の前方から車両に向かって、車速に応じた風速の空気流を供給する空気流供給路と、空気流を排出する空気流排出路とが接続されており、試験室には、停止モードで、発熱する車両から熱伝達されて上昇する空気を排出する昇温空気流排気通路と、昇温空気流排気通路から排出される空気量と同程度の量の空気を供給する給気通路とが接続されているので、停止時と走行時のいずれをも再現した車両試験を良好に行うことができる。
さらに請求項６の発明では、走行モードと停止モード、及びこれらのモードを切替える切替手段を備えているので、走行時を再現した試験と、停止中を再現した試験とを、任意に切り替えて実施することができる。
【発明を実施するための最良の形態】
【００２４】
図１及び図２は、本発明を実施した車両試験装置１の全体図である。図１に示すように、車両試験装置１は、試験室２と空調設備２０（空調手段）とを備えている。試験室２と空調設備２０は、途中にダンパ３ａ及び３ｂ（絞り弁）を備えた空気流供給路３で接続されている。ダンパ３ａ及び３ｂは、制御装置２５（切替手段）で開度が制御される。空調設備２０は、予め所定の温度及び湿度に調整した空気を、空気流供給路３を介して試験室２内へ供給する。その際、ダンパ３ａ及び３ｂの開度を調整して、空気流供給路３の流路断面積を変更することにより、試験室２へ供給する空気流の風速や風量を調整することができるようになっている。
【００２５】
図１に示すように、ダンパ３ａとダンパ３ｂの間の空気流供給路３には、分岐部２２が設けてある。分岐部２３には、ダンパ５ａ（絞り弁）を備えた微風供給路５の一端が接続されている。微風供給路５の他端は、図２に示すように試験室２内に下向きに開口している。ダンパ５ａは、制御装置２５で開閉制御される。また、ダンパ５ａは、後述する停止モードに設定された際に開き、通常は閉じている。
【００２６】
空調設備２０は、大気を取り入れる給気管２１を備えている。給気管２１と空気流供給路３は、途中に開閉弁３１ａを備えたリターンループ通路３１で接続されている。開閉弁３１ａを開き、ダンパ３ａの開度を小さく設定すると、空調設備２０で調整された空気は、リターンループ通路３１を介して空調設備２０に戻り、少量の空気が試験室２へ供給される。
【００２７】
また、図１に示すように、試験室２の天井には、ダンパ７ａ（絞り弁）と送風機７ｂを備えた排気通路７（昇温空気流排気通路）の一端が接続されている。ダンパ７ａは、制御装置２５で開閉制御される。排気通路７の他端は、試験室２の外部へ開口している。従って、ダンパ７ａを開くことにより、試験室２の内外が連通するようになっている。さらに、試験室２には、ダンパ４ａ（開閉弁）と送風機４ｂを備えた空気流排出路４の一端が接続されている。ダンパ４ａは、制御装置２５で開閉制御される。空気流排出路４の他端は、試験室２の外部に開口している。
【００２８】
さらに、試験室２の床には、車両８の駆動輪を載せ、駆動輪の回転数に合わせて回転する図示しないシャーシダイナモ（車両走行状態再現手段）のローラが設けてあり、試験室２の天井には、日照を再現するための多数のライト（図示せず）が設けてある。
【００２９】
このような試験室２内で、アイドリング時、加速及び減速走行、低速から高速走行など、実際の道路上における走行を組合せた１０モードや１５モードの試験を再現する。また、坂道等の道路状況は、試験室２の床に設けた図示しないシャーシダイナモのローラの回転に抵抗を付与し、車両８の駆動輪に対して回転負荷を加えることで再現する。
【００３０】
車両試験装置１は、作動形態として停止モードと走行モードとを有している。停止モードは、車両８が停止している状態を試験室２内で再現するモードであり、走行モードは、車両８が、所定の速度で走行している状態を再現するモードである。
【００３１】
次に、車両試験装置１の作動形態について、停止モードと走行モードとに分けて、順に説明する。
【００３２】
まず、停止モードについて説明する。
停止モードでは、車両８の車速がゼロの状態を再現するため、試験室２への空気流２９の供給は無用である。そのため、制御装置２５は、図１に示すダンパ３ｂとダンパ４ａとを閉じ、ダンパ５ａとダンパ７ａとを開く。
【００３３】
そして、試験室２内の空気と同じ温度及び湿度に調整された空気流１０（試験環境の空気）を、微風供給路５を介して開口５ｂから試験室２内に供給する。図１に示すように、微風供給路５から供給された空気流１０の進行方向は、下向きから水平方向に変わり、車両８の下部へ到達する。図示していないが、例えば、傾斜板等を配置し、空気流１０の進行方向が、下向きから水平方向に変わり易くなるようにするのが好ましい。
【００３４】
車両８に搭載したエアコン（図示せず）を作動させるには、発電のためにエンジン８ａを作動させる必要がある。エンジン８ａによってエンジン８ａの周囲の空気が昇温し、昇温した空気は、上昇して空気流９となり、排気通路７から排出される。
【００３５】
停止モードにおいては、図１に示すダンパ３ｂは全閉となり、送風機３ｃは停止している。さらにダンパ５ａの開度を調整することにより、微風供給路５から試験室２内に供給される空気（空気流１０）の流入量が、排気通路７から排出される昇温した空気の排出量に相当する量となるように調整される。また、排気通路７に送風機７ｂを設けているため、空気流９の排出を円滑に行うことができる。
【００３６】
停止モードでは、微風供給路５から試験室２内に供給する空気流１０によって、試験室２内に空気流を生じさせる意図はなく、昇温して生じた空気流９が試験室２から排出されることによって、試験室２内が負圧とならないように、かつ、空気流９が円滑に排出されるように試験室２内の空気と同じ温度及び湿度に調整された空気を供給する。これにより、試験室２内に、高温の空気が滞留することがなくなり、試験室２内の室温が上昇することを回避することができる。
【００３７】
車両８の図示しないラジエータのファンによって昇温した空気が掃き出され、昇温した空気は、車体とタイヤの間等の隙間から排出されるので、空気流１０は、車両８の低い位置（例えば、床面からの高さが５０ｃｍ以下の位置）へ供給するのが好ましい。本実施の形態では、空気流１０を床面に沿って車両８の方向へ供給することができる。
【００３８】
車両８に搭載するエアコンには、外気導入と内気循環の切り替えがある。外気導入の場合には、車両８の前側から空気を吸い込む。車両８の停止中は、エンジンで加熱された空気が車内に吸い込まれる。その吸い込んだ空気の温度を検出し、エアコンは車内が設定温度となるように作動する。
【００３９】
従来型のような車両試験装置５０（図７）では、空気流供給路５３から気流が供給されると、低温の空気流が車両５１に向かって供給されるため、エアコンの出力が下がってしまい、燃費試験に影響が出た。また、停止モードにおいて、空気流を供給しなければ、試験室５２内が上昇してしまい、車両５１の試験環境を一定に維持することができなくなる。
【００４０】
しかし、本発明を実施した車両試験装置１では、昇温した空気流９を円滑に試験室２内から排出し、代わりに、空調設備２０で調整された空気流１０を試験室２内に供給することができるので、車両８の試験環境を一定に保つことが可能である。また、ほぼ自然対流に等しい状況を実現することができるので、エアコンの出力が下がるという不具合も解消される。
【００４１】
昇温した空気流９が、試験室２内を循環しないようにするため、試験室２の高さは、空気流９を排出（回収）できる高さに設定する必要がある。そこで、試験室２の高さは、例えば、２．５ｍ〜４ｍ程度に設定すると、空気流９を良好に回収することができる。
【００４２】
従来型の車両試験装置では、試験室の容積を大きくすることで、昇温した空気によって試験室内の室温が上昇することを抑制しようとしていた。上述したように、本発明を実施すると、試験室２の容積を従来のように大きくすることなく、試験室２内の室温を一定に維持することができる。
【００４３】
次に、走行モードについて説明する。
図２は、図１の車両試験装置１が、走行モード状態となった場合の全体系統図である。
前述したように、走行モードは、車両８が所定速度で走行している状態を再現するモードである。そのため、制御装置２５により、ダンパ３ｂの開度調整が行われ、再現する車速に応じた風速の空気流２９が、送風機３ｃから試験室２内に供給される。
【００４４】
その際、制御装置２５は、微風供給路５のダンパ５ａと排気通路７のダンパ７ａとを閉じ、空気流排出路４のダンパ４ａを開くように制御する。送風機３ｃによって試験室２内に供給された空気流２９は、車両８を通過し、空気流排出路４から排出される。その際、空気流排出路４に備えた送風機４ｂを作動させることにより、空気流２９の排出は、円滑に行われる。
【００４５】
図１及び図２では、制御装置２５と各ダンパとが、信号線で接続されている状態を示しているが、実際には、各送風機も制御装置２５と信号線で接続されており、制御装置２５によって各送風機の作動（停止モード、走行モード）及び出力量の制御が行われる。
【００４６】
以上のように構成された車両試験装置１を使用して得られた種々のデータ（例えば、車両８の走行時や、エアコンを作動させた停止時における燃費を評価するためのデータ等）を、図示しない評価装置に送り、車両８の性能を評価する。
【００４７】
図３〜図６は、本発明を実施した図１及び図２に示す車両試験装置１よりも現実的な車両試験装置４０の全体系統図である。車両試験装置４０は、試験室２内に空気を供給するための空気流供給路３及び微風供給路５と、試験室２内から空気を排出する排気通路７及び空気流排出路４とを備えている。
以下において、まず、試験室２内に空気を供給する経路から説明し、その後、試験室２内から空気を排出する経路を説明する。
【００４８】
空気流供給路３の上流側には、空調設備２０が接続されている。この空調設備２０には、途中に送風機３０ｂと開閉弁３０ａ（ダンパ）とを備えた外気導入路３０が接続されている。よって、空調設備２０には、外気導入路３０を介して外気が取り入れられ、取り入れられた外気は、空調設備２０によって設定された試験環境に応じた温度及び湿度に調整された後、後述するように空気流供給路３又は微風供給路５を介して、試験室２内に供給される。
【００４９】
図３に示すように、空気流供給路３の空調設備２０の近くには開閉弁３ａ（ダンパ）が設けてある。この開閉弁３ａと空調設備２０の間の空気流供給路３と、外気導入路３０とは、途中に開閉弁３１ａ（ダンパ）を備えたリターンループ通路３１で接続されている。さらに、空調設備２０とリターンループ通路３１の間の空気流供給路３には、送風機２０ａが設けてある。よって、開閉弁３ａ及び開閉弁３１ａの開度を調整することにより、空調設備２０で調整された空気を、全て試験室２内に供給することもできれば、リターンループ通路３１を介して全て空調設備２０に戻すこともできる。開閉弁３ａ及び開閉弁３１ａの開度の調整方法は後述する。
【００５０】
図３に示すように、微風供給路５は、空気流供給路３から分岐して設けられたものであり、微風供給路５の途中には開閉弁５ａ（ダンパ）が設けてある。また、微風供給路５の開口５ｂが、試験室２内に開口している。
【００５１】
試験室２内に配置された空気流供給路３の先端部には、送風機３ｃが設けてあり、この送風機３ｃの上流側の直近には開閉弁３ｂ（ダンパ）が設けてある。
【００５２】
次に、試験室２内から空気を排出する経路について説明する。
図３に示すように、試験室２の天井２２には、排気通路７の開口２２ａが設けられている。排気通路７の途中には、送風機７ｂと開閉弁７ａ（ダンパ）とが設けてあり、開閉弁７ａより先は、大気に開放されている。また、送風機７ｂと開閉弁７ａの間の排気通路７は、途中に開閉弁３４ａ（ダンパ）を備えた回帰通路３４によって外気導入路３０と接続されている。
【００５３】
また、図３に示すように、車両試験装置４０には空気流排出路４が設けられている。空気流排出路４は、空気流供給路３の送風機３ｃから試験室２内に供給されて、車両８を通過した空気流を回収する。空気流排出路４には、開閉弁４ａと送風機４ｂとが設けられている。送風機４ｂは、空気流供給路３によって試験室２内に供給された空気流の回収を促進する機能を有する。また、空気流排出路４の開閉弁４ａの上流側は、途中に開閉弁３３ａを備えた回帰通路３３によって、外気導入路３０の開閉弁３０ａの下流側と接続されている。
【００５４】
さらに、図３に示すように、試験室２の車両８の配置部分の床には、途中に送風機３２ａを備えた風速調整路３２を設けている。風速調整路３２の下流端部は、空気流排出路４と接続されている。
【００５５】
次に、車両試験装置４０の動作を説明する。
車両８の車速がゼロ、つまり、車両８が停止しており、尚かつ、その車両８が発熱している状態（アイドリング状態、及びエンジン停止直後の余熱が残っている場合を含む）を再現する場合には、車両８の設置位置を実質的に変化させないシャーシダイナモのローラの回転を停止させ、車両試験装置４０は、図３に示す形態を採る。すなわち、外気導入路３０から空調設備２０に供給された空気の大半がリターンループ通路３１を流れ、残りの少量の空気が、微風供給路５から車両８に向けて供給される。このとき、空気流供給路３の送風機３ｃは停止しており、送風機３ｃの直近に設けた開閉弁３ｂは閉じている。
【００５６】
図３に示すように、微風供給路５は、上方から車両８に向けて微風を供給する。発熱する車両８によって、車両８の上部の空気は昇温し、昇温した空気は昇温空気流９として上方へ流れる。そして、昇温した空気は、開口２２ａから排気通路７に入り、排気通路７を介して試験室２の外部へ排出される。
【００５７】
この昇温空気流９が、試験室２から排出されることにより、試験室２内が負圧とならない程度の空気流１０（微風）が、微風供給路５から試験室２内に供給されるように、開閉弁３ａの開度が調整される。また、排気通路７に設けた送風機７ｂは、強制的に昇温した空気流９を試験室２内から掃き出すものではなく、排気通路７内の流通抵抗によって空気流９の流れが滞らないように、この抵抗分を補う程度に空気流９の排出を促すものである。
【００５８】
ここで、空気流９を大気へ排出するなら開閉弁７ａを全開に設定し、かつ、開閉弁３４ａを全閉に設定する。逆に、開閉弁７ａを全閉に設定し、かつ、開閉弁３４ａを全開に設定すると、空気流９を空調設備２０へ戻すことができ、再利用を図ることができる。
【００５９】
このように、試験室２から排出される空気流９の排出量と同程度の量の空気流１０（微風）を微風供給路５から供給することにより、試験室２内の気圧は一定に保たれる。また、空気流９は、上昇して、試験室２の天井２２に設けた開口２２ａから排気通路７に入って外部に円滑に排出され、空気流９と入れ替わるように空気流１０が微風供給路５から試験室２内に供給され、試験室２内の温度、湿度、及び気圧は一定に保たれる。
【００６０】
なお、停止中の車両８（シャーシダイナモのローラの回転を停止させて停止状態を再現した車両８）が発熱する場合としては、例えば、走行後、信号等で停止して間もない場合や、停止中にエアコンを作動させている場合、又は、日射によって車両８の車体に蓄熱された熱が放散される場合等が考えられる。日射を再現するには、従来の車両試験装置と同様に、天井に多数のライトを配置すればよい。
【００６１】
次に、車両８の低速走行時の状況を再現する場合を、図４を参照しながら説明する。
低速走行を再現する場合には、開閉弁３ａの開度を、図３の車両停止時を再現した場合よりも大きく設定する。さらに、空気流供給路３の送風機３ｃの直近に設けた開閉弁３ｂを開き、送風機３ｃを作動させる。
【００６２】
低速走行時を再現する車両８に向かって、車速に応じた風速の空気流２９が、空気流供給路３の送風機３ｃから供給される。その際、車両８の車体表面の抵抗により、若干、送風機３ｃから供給する空気流２９の風速が落ちるため、その落ちる分だけの風速を補う空気流３９を送風機３ｃから供給し、車両８の下部の床に配置した風速調整路３２から空気流３９を排出する。風速調整路３２から排出する空気流３９の量は、送風機３２ａの出力量で調整することができる。
【００６３】
昇温空気流９は、前述の図３で説明した通りに試験室２から排出され、昇温空気流９と入れ替わるように微風供給路５から空気流１０（微風）が供給される。また、送風機３ｃから供給された空気流２９は、空気流排出路４の受け口４ｃから空気流排出路４内に回収され、試験室２の外部へ排出される。その際、開閉弁３３ａを閉じ、かつ、開閉弁４ａを開くと、回収した空気流２９、及び、空気流３９は、大気へ放出される。逆に、開閉弁３３ａを開き、かつ、開閉弁４ａを閉じると、回収した空気流２９、３９を再利用することができる。
【００６４】
次に、車両８の中速走行の状況を再現する場合を、図５を参照しながら説明する。中速走行を再現する場合には、微風供給路５に備えた開閉弁５ａを閉じ、車両８への微風の供給を停止すると共に、排気通路７の送風機７ｂを停止し、さらに開閉弁７ａ及び開閉弁３４ａを閉じる。その上で、低速走行時よりも上昇する速度の分だけ空気流供給路３の送風機３ｃから供給する空気流２９の風速が増大するように、開閉弁３ｂの開度と送風機３ｃの出力を調整する。
【００６５】
車両８の停止の状況、又は、低速走行の状況の再現時は、車両８の周囲の空気の動きが小さいため、図３に示す昇温した空気流９と円滑に入れ替わる空気流１０（微風）を微風供給路５から供給する必要があったが、中速走行及び後述する高速走行の状況の再現時には、車両８の周囲に十分な空気流２９が供給されるため、もはや空気流１０（微風）を供給する必要性がなくなり、微風供給路５からの空気流１０の供給を停止する。
【００６６】
最後に、車両８の高速走行時の状況を再現する場合を、図６を参照しながら説明する。高速走行を再現する場合には、中速走行時を再現する場合よりも、さらに空気流２９（風速）を増大させなければならないので、リターンループ通路３１の開閉弁３１ａを全閉し、空調設備２０で調整された空気を、全て空気流２９及び空気流３９として試験室２内に供給する。その他は、中速走行時を再現する場合と同じである。
【００６７】
以上において、低速とは、例えば、時速３０ｋｍ以下の走行速度であり、中速とは、例えば、時速３０ｋｍ〜６０ｋｍの範囲の走行速度であり、また、高速とは、例えば、時速６０ｋｍ以上の走行速度である。また、停止、低速、中速、及び高速と場合分けしたが、４段階のみをポイント的に再現するだけではなく、例えば、停止から低速、低速から中速への移行時などを再現することもできる。
【００６８】
図３〜図６の車両試験装置４０において、各開閉弁の開度及び各送風機の出力量は、停止時、低速走行時、中速走行時、及び高速走行時の４つのモードとして予め設定しておき、各モードを切り替えるように図示しない制御装置で制御すると、制御装置としては、簡易なものを採用することができる。
【００６９】
本発明は、車両８の停止時、又は、低速走行時の状況を再現する際に実施されるものである。すなわち本発明を実施すると、アイドリング時、加速及び減速走行、低速から高速走行など、実際の道路上における走行を組合わせた１０モードや１５モードのうち、アイドリング時と低速走行時の状況を試験室内で良好に再現することができる。
【図面の簡単な説明】
【００７０】
【図１】本発明を実施した車両試験装置の全体系統図で、車両の停止時の状態を再現した状態を示すものである。
【図２】図１の車両試験装置において、車両の走行時の状態を再現した車両試験装置の全体系統図である。
【図３】図１とは別の車両試験装置の全体系統図で、車両の停止時の状態を再現した状態を示すものである。
【図４】図３において、車両の低速走行時の状況を再現した車両試験装置の全体系統図である。
【図５】図３の車両試験装置において、車両の中速走行時の状況を再現した車両試験装置の全体系統図である。
【図６】図３の車両試験装置において、車両の高速走行時の状況を再現した車両試験装置の全体系統図である。
【図７】従来の車両試験装置の模式図である。
【符号の説明】
【００７１】
１  車両試験装置
２  試験室
３  空気流供給路
４  空気流排出路
５  微風供給路（給気通路）
６  床面
７  排気通路（昇温空気流排気通路）
８  車両
９  昇温した空気流
１０  空気流
２０  空調設備（空調手段）
２５  制御装置（切替手段）
４０  車両試験装置
【図１】
2007108038.tif 000003
【図２】
2007108038.tif 000004
【図３】
2007108038.tif 000005
【図４】
2007108038.tif 000006
【図５】
2007108038.tif 000007
【図６】
2007108038.tif 000008
【図７】
2007108038.tif 000009